(57)【特許請求の範囲】
【請求項１】
前面部が開口した筐体と、この筐体の前記前面部に装着されて表示面を構成する蓋部とから構成され、複数の発光素子から放射された光を前記蓋部の表示面に導いて表示を行わせる情報処理装置において、
情報処理回路が搭載されているメイン基板に取り付けられるサブ基板と、
複数の前記発光素子がマトリクス状に搭載され、前記発光素子が前記表示面に対向するように前記サブ基板に取り付けられる発光機構部と、
前記蓋部の表示面の裏側に設けられた第１の位置決め部材と、
前記発光機構部を狭持して前記発光素子からの光を相互に干渉させることなく前記表示面の方向に導く格子形状を有する格子形状部と、前記第１の位置決め部材と係合して位置合わせを行う第２の位置決め部材とを有し、前記サブ基板に取り付けられる光ガイド機構部と、
前記光ガイド機構部と前記表示面の裏側との間に配置され、各発光素子からの光を透過させるとともに各透過光に対応した情報が印刷されている情報板と、
を有する表示機構を備え、
前記サブ基板には、前記発光素子を駆動する回路が搭載されたことを特徴とする情報処理装置。
【発明の詳細な説明】
【０００１】
【発明の属する技術分野】
本発明は情報処理装置に関し、複数の発光素子から放射された光を筐体の表示面に導いて発光させる表示機構を有する情報処理装置に関する。
【０００２】
【従来の技術】
近年では、情報処理装置の薄型化が進みつつあるため、装置内部の状態等を表示するＬＥＤ（Light Emitting Diode）等の配置にも種々の考慮がなされている。
【０００３】
ところで、複数のＬＥＤによって情報を表示しようとする場合には、これらのＬＥＤ群によって占有される実装面積ができるだけ小さくなるようにするとともに、個々のＬＥＤから放射された光が相互に干渉しないように留意する必要がある。
【０００４】
そこで、従来においては、例えば、個々のＬＥＤの発光部と、筐体の表示面との間を光導体によって連結する手法が用いられていた。
【０００５】
【発明が解決しようとする課題】
しかし、このような方法では、組み立て工程において光導体の接続作業の必要が生じるため作業が煩雑となり、結果として装置の組み立てコストが高くなるという問題点があった。
【０００６】
また、光導体はＬＥＤの数だけ必要であり、更に、光干渉防止のための遮蔽部材も必要となるため、部品点数が多くなるという問題点もあった。
本発明は、以上のような点に鑑みてなされたものであり、組み立てが容易でしかも小型化が可能な表示機構を有する情報処理装置を提供することを目的とする。
【０００７】
【課題を解決するための手段】
本発明では上記課題を解決するために、前面部が開口した筐体と、この筐体の前記前面部に装着されて表示面を構成する蓋部とから構成され、複数の発光素子から放射された光を前記蓋部の表示面に導いて表示を行わせる情報処理装置において、情報処理回路が搭載されているメイン基板に取り付けられるサブ基板と、複数の前記発光素子がマトリクス状に搭載され、前記発光素子が前記表示面に対向するように前記サブ基板に取り付けられる発光機構部と、前記蓋部の表示面の裏側に設けられた第１の位置決め部材と、前記発光機構部を狭持して前記発光素子からの光を相互に干渉させることなく前記表示面の方向に導く格子形状を有する格子形状部と、前記第１の位置決め部材と係合して位置合わせを行う第２の位置決め部材とを有し、前記サブ基板に取り付けられる光ガイド機構部と、前記光ガイド機構部と前記表示面の裏側との間に配置され、各発光素子からの光を透過させるとともに各透過光に対応した情報が印刷されている情報板と、を有する表示機構を備え、前記サブ基板には、前記発光素子を駆動する回路が搭載されたことを特徴とする情報処理装置が提供される。
【０００９】
【発明の実施の形態】
以下、本発明の実施の形態を図面を参照して説明する。
図１は、本発明の実施の形態の構成例を示す図である。この図において、筐体１は、プリント基板２を内蔵し、これを保護する。
【００１０】
プリント基板２は、情報処理回路が実装されたメインプリント基板（以下、メイン基板と称す）２ａと、表示機構３とこの表示機構３を駆動するための回路が実装されたサブプリント基板（以下、サブ基板と称す）２ｂとによって構成されている。
【００１１】
表示機構３は、３２個のＬＥＤチップがマトリクス状に配置されており、例えば、外部の装置と接続されるコネクタ２ｐ，２ｑの各信号線の状態に応じて対応するＬＥＤチップが点灯または消灯される。
【００１２】
蓋部４は、筐体１の前面部に装着され、プリント基板２を保護するとともに、表示機構３からの発光情報を表示窓４ｉを介して外部に出力する。
次に、各部の詳細について説明する。
【００１３】
筐体１内部の上部側面および下部側面には、プリント基板２を挿入する際のガイド溝１ａ，１ｂが形成されており、このガイド溝１ａ，１ｂに沿ってプリント基板２が所定の位置まで挿入される。
【００１４】
筐体１の開口部の側面には、蓋部４の係止部４ａ〜４ｇ（４ｄ〜４ｆは不図示）と係合する孔１ｃ〜１ｉ（１ｉは不図示）が設けられている。
プリント基板２は、前述のようにメイン基板２ａとサブ基板２ｂとによって構成されており、サブ基板２ｂはネジ２ｆ〜２ｉ（２ｈ，２ｉは不図示）およびスペーサ２ｊ，２ｋ（２ｋは不図示）によってメイン基板２ａに固定されている。
【００１５】
メイン基板２ａには、情報処理回路が実装されており、情報の入出力を行うためのコネクタ２ｄ，２ｐ，２ｑが配置されている。
サブ基板２ｂには、表示機構３を駆動するための回路が実装されており、また、このサブ基板２ｂには表示機構３が固定されている。
【００１６】
蓋部４の開口部の側面には、筐体１の孔１ｃ〜１ｉと係合して蓋部４を固定する係止部４ａ〜４ｇが形成されている。
表示窓４ｉの裏側には、表示機構３が配置される。表示窓４ｉの前面には、各ＬＥＤからの光に対応する情報が印刷された情報板５が配置されている。また、情報板５の前面部には、カバー６が配置され、情報板５が脱落することを防止する。
【００１７】
蓋部４の前面には、コネクタ２ｐ，２ｑが挿入される孔４ｈが形成されている。
図２は、メイン基板２ａ、サブ基板２ｂ、および、表示機構３の詳細な構成例を示す組み立て図である。
【００１８】
この図に示すように、サブ基板２ｂは、ネジ２ｆ〜２ｉおよびスペーサ２ｊ，２ｋによってメイン基板２ａに固定されている。
表示機構３は、プリント基板１０ａの面１０ｂに対して３２個のＬＥＤチップがマトリクス状に配置されたＬＥＤアレイ１０と、ＬＥＤアレイ１０からの光を相互に干渉することなく表示窓４ｉの方向に導くとともに、ＬＥＤアレイ１０を所定の位置に固定するＬＥＤホルダ２０とによって構成されている。
【００１９】
ＬＥＤアレイ１０は、フラットケーブル１０ｃ，１０ｄによりサブ基板２ｂに接続されており、また、サブ基板２ｂのフラットケーブル１０ｃ，１０ｄが接続されている付近にはＬＥＤホルダ２０を係着するための孔２ｍが形成されている。
【００２０】
図３は、ＬＥＤホルダ２０を前方から眺めた場合の斜視図である。この図に示すように、ＬＥＤホルダ２０は、３２個の矩形孔が格子状に設けられた格子形状部２０ａを有している。この格子形状部２０ａは、ＬＥＤアレイ１０を構成する各ＬＥＤチップから放射された光が相互に干渉しないように表示窓４ｉの方向に導く。
【００２１】
格子形状部２０ａの下部に設けられた孔２０ｂ，２０ｃは、蓋部４の表示窓４ｉの裏側に設けられた突起部（後述する）と係合し、ＬＥＤホルダ２０の位置合わせを行う。
【００２２】
係止部２０ｄ，２０ｅ（２０ｄは不図示）は、ＬＥＤアレイ１０のプリント基板１０ａの側面を挟持し、ＬＥＤアレイ１０に連結する。
係着部２０ｇは、サブ基板２ｂに設けられた孔２ｍと係合し、ＬＥＤホルダ２０をサブ基板２ｂに係着する。
【００２３】
連結部２０ｆは、格子形状部２０ａと、係着部２０ｇとを連結する。
図４は、ＬＥＤホルダ２０を後方から眺めた場合の図である。
この図に示すように、係止部２０ｄ，２０ｅは、ＬＥＤアレイ１０のプリント基板１０ａの側面を両側から挟持可能なように、格子形状部２０ａの裏側の対向する位置に設けられている。
【００２４】
係着部２０ｇには、溝２０ｈが形成されており、この部分に対してサブ基板２ｂが挿入される。また、溝２０ｈの一方の側面に設けられた突起部２０ｉは、サブ基板２ｂの孔２ｍに対して挿入され、ＬＥＤホルダ２０をサブ基板２ｂに固定する。
【００２５】
図５は、ＬＥＤアレイ１０と、ＬＥＤホルダ２０とがサブ基板２ｂに対して装着された場合の様子を示す斜視図である。
円で囲繞された部分に示すように、ＬＥＤアレイ１０は、ＬＥＤホルダ２０の係止部２０ｄ，２０ｅによって狭着される。ＬＥＤホルダ２０は、サブ基板２ｂの孔２ｍに対して、係着部２０ｇによって係着され、ＬＥＤアレイ１０を所定の位置に固定する。
【００２６】
ＬＥＤアレイ１０のプリント基板１０ａとサブ基板２ｂとは、２本のフラットケーブル１０ｃ，１０ｄによって接続されている。なお、これらのフラットケーブル１０ｃ，１０ｄは、略直角に折り曲げられており、プリント基板１０ａとサブ基板２ｂとの接続作業が容易に実行できる。
【００２７】
図６は、フラットケーブル１０ｃ，１０ｄの折り曲げ方法を示す図である。図６（Ａ）に示すように、フラットケーブル１０ｃは、線分Ｘ−Ｙに従って折り曲げられており、略直角にその接続方向が変更されている。
【００２８】
また、図６（Ｂ）に示すように、フラットケーブル１０ｄは、先ず、線分Ｘ−Ｙに従って折り曲げられた後、線分Ｚ−Ｖに従って再度折り曲げられており、この場合も略直角にその接続方向が変更されている。
【００２９】
なお、フラットケーブル１０ｄのみ２回折り曲げているのは、余長処理のためであり、その結果、サブ基板２ｂから遠い側のフラットケーブル１０ｃと近い側のフラットケーブル１０ｄを同一の長さのフラットケーブルとすることができる。その結果、部品点数を減少させることが可能となるので、装置のコストを削減することが可能となる。
【００３０】
図７は、蓋部４を裏側から眺めた場合の背面図である。
この図に示すように、蓋部４の開口部の周辺には、筐体１と係合する係止部４ａ〜４ｇが設けられている。
【００３１】
蓋部４の底部（蓋部４の前面の裏側）には、コネクタ２ｐ，２ｑが挿入される孔４ｈが形成されている。
同じく、蓋部４の底部の右上と、右下には、プリント基板２の端部を保持するための係止部４ｍ，４ｎがそれぞれ設けられている。
【００３２】
表示窓４ｉの下には、ＬＥＤホルダ２０に設けられた孔２０ｂ，２０ｃ（図３参照）と係合し、ＬＥＤホルダ２０の位置合わせを行うための突起部４ｊ，４ｋが形成されている。
【００３３】
図８は、図７に示す蓋部４をＸ方向から眺めた場合の断面図である。
この図に示すように、表示窓４ｉの裏側には、前述したように、ＬＥＤホルダ２０に設けられた孔２０ｂ（図３参照）と係合し、ＬＥＤホルダ２０の位置合わせを行うための突起部４ｋが形成されている。
【００３４】
また、表示窓４ｉの下には、プリント基板２を保持するための係止部４ｍが設けられている。
図９は、蓋部４が装着された場合における、表示機構３とその他の部分の関係を示す斜視図である。
【００３５】
サブ基板２ｂに係着された表示機構３は、蓋部４の表示窓４ｉに挿入される。このとき、前述したＬＥＤホルダ２０の孔２０ｂ，２０ｃと、蓋部４の突起部４ｊ，４ｋとにより位置合わせが行われ、表示機構３は表示窓４ｉの所定の位置に配置される。
【００３６】
表示窓４ｉには、各ＬＥＤからの光のそれぞれに対応した情報が印字された情報板５が配置されている。
図１０は、情報板５の詳細な構成例を示す図である。情報板５は、透光性を有する薄板状のプラスチックに遮光性を有する塗料が塗布されており、ＬＥＤアレイ１０の各ＬＥＤチップに対応する位置には、ポートを特定するための数字に応じた透光パターンが形成されている。この例では、左上から左下に向けて、また、左から右に向けて、“１”から“３２”の数字を示す透光パターンが形成されている。
【００３７】
従って、ＬＥＤアレイ１０の所定のＬＥＤチップが点灯された場合には、該当する数字が発光することになる。
図９に戻って、情報板５の上部には、透光性を有するプラスチックによって構成された「コ」の字型のカバー６が配置されている。カバー６は、その先端部の内側側面に設けられた係止部６ａ，６ｂによって蓋部４に係止される。
【００３８】
なお、メイン基板２ａとサブ基板２ｂとは、フラットケーブル２ｒによって相互に接続されており、ＬＥＤを発光させるための情報がメイン基板２ａからサブ基板２ｂに対して伝送される。
【００３９】
図１１は、組み立てが完了した情報処理装置の外観図である。この図に示すように、蓋部４の孔４ｈからは、コネクタ２ｐ，２ｑが突出し、外部の装置との接続が図られる。
【００４０】
また、蓋部４の上部に設けられた表示窓４ｉには、カバー６が装着されており、このカバー６を介して、内蔵されている表示機構３からの情報を参照することができる。
【００４１】
以上に示したように、本発明の実施の形態によれば、複数のＬＥＤをプリント基板１０ａ上にマトリクス状に配置し、格子形状を有するＬＥＤホルダ２０によって光の干渉を防止するようにしたので、表示機構３を小型化することが可能となる。
【００４２】
また、ＬＥＤの数が増加した場合においても、基本的には同様の部品によって表示機構を構成することができるので、組み立て作業を容易にすることができる。
【００４３】
更に、表示機構３とそれを駆動する回路とを、情報処理回路が搭載されたメイン基板２ａとは別のサブ基板２ｂに実装するようにしたので、この表示機構３を必要に応じて追加する場合の作業を簡易化することができる。例えば、表示機構３をオプションとした場合に、このオプションを含む装置を組み立てる際には、サブ基板２ｂを装着してフラットケーブル２ｒによって接続するだけで作業が完了することになる。
【００４４】
なお、以上の実施の形態においては、数字のパターンに応じた透光部を情報板５に形成するようにしたが、例えば、矩形の透過部を設けてその周辺に対応する文字等を印刷するようにしてもよい。
【００４５】
【発明の効果】
以上説明したように本発明では、前面部が開口した筐体と、この筐体の前記前面部に装着されて表示面を構成する蓋部とから構成され、複数の発光素子から放射された光を前記蓋部の表示面に導いて表示を行わせる情報処理装置において、情報処理回路が搭載されているメイン基板に取り付けられるサブ基板と、複数の前記発光素子がマトリクス状に搭載され、前記発光素子が前記表示面に対向するように前記サブ基板に取り付けられる発光機構部と、前記蓋部の表示面の裏側に設けられた第１の位置決め部材と、前記発光機構部を狭持して前記発光素子からの光を相互に干渉させることなく前記表示面の方向に導く格子形状を有する格子形状部と、前記第１の位置決め部材と係合して位置合わせを行う第２の位置決め部材とを有し、前記サブ基板に取り付けられる光ガイド機構部と、前記光ガイド機構部と前記表示面の裏側との間に配置され、各発光素子からの光を透過させるとともに各透過光に対応した情報が印刷されている情報板と、を有する表示機構を備え、前記サブ基板には、前記発光素子を駆動する回路が搭載されるようにしたので、表示機構の組み立てが容易でしかも小型化が可能となる。
【図面の簡単な説明】
【図１】本発明の実施の形態の構成例を示す組み立て図である。
【図２】メイン基板、サブ基板、および、表示機構の詳細な構成例を示す組み立て図である。
【図３】ＬＥＤホルダを前方から眺めた場合の斜視図である。
【図４】ＬＥＤホルダを後方から眺めた場合の斜視図である。
【図５】ＬＥＤアレイと、ＬＥＤホルダとがサブ基板に対して装着された場合の様子を示す斜視図である。
【図６】図６（Ａ）は、フラットケーブル１０ｃの折り曲げ方法を示す図であり、また、図６（Ｂ）は、フラットケーブル１０ｄの折り曲げ方法を示す図である。
【図７】蓋部を裏側から眺めた場合の背面図である。
【図８】図７に示す蓋部をＸ方向から眺めた場合の断面図である。
【図９】蓋部が装着された場合における、表示機構とその他の部分の関係を示す斜視図である。
【図１０】情報板の詳細な構成例を示す図である。
【図１１】組み立てが完了した情報処理装置の外観図である。
【符号の説明】
１  筐体
１ａ，１ｂ  ガイド溝
１ｃ〜１ｉ  孔
２  プリント基板
２ａ  メイン基板
２ｂ  サブ基板
２ｄ，２ｐ，２ｑ  コネクタ
２ｆ〜２ｉ  ネジ
２ｊ，２ｋ  スペーサ
３  表示機構
４  蓋部
４ａ〜４ｇ  係止部
４ｈ  孔
４ｉ  表示窓
５  情報板
６  カバー
１０  ＬＥＤアレイ
２０  ＬＥＤホルダ
【図１】
0003906612.tif 000002
【図２】
0003906612.tif 000003
【図３】
0003906612.tif 000004
【図４】
0003906612.tif 000005
【図５】
0003906612.tif 000006
【図６】
0003906612.tif 000007
【図７】
0003906612.tif 000008
【図８】
0003906612.tif 000009
【図９】
0003906612.tif 000010
【図１０】
0003906612.tif 000011
【図１１】
0003906612.tif 000012